(57)【要約】【課題】新しい発想により特異形状のファスナーエレメントを創造することにより、１つの空間を直交する４空間に分割する使い方を可能とするスライドファスナーの新しい機能を提供する。【解決手段】水平ファスナーテープの相対する開閉端の縁部に沿って列設されたエレメントとスライダーとから構成され、スライダーをエレメントに沿って摺動させることにより開閉するスライドファスナーであって、１つのスライダーを用いて１回の操作により、１つの空間を２つの空間に分割する水平機能部と、水平機能部により分割された２つの空間をそれぞれさらに２つの空間に分割する垂直機能部とを備えたことを特徴とする。【選択図】図１
2011015814.tif 000002
【特許請求の範囲】
【請求項１】
水平ファスナーテープの相対する開閉端の縁部に沿って列設されたエレメントとスライダーとから構成され、前記スライダーを前記エレメントに沿って摺動させることにより開閉するスライドファスナーであって、１つのスライダーを用いて１回の操作により、１つの空間を２つの空間に分割する水平機能部と、前記水平機能部により分割された２つの空間をそれぞれさらに２つの空間に分割する垂直機能部とを備えたことを特徴とするスライドファスナー。
【請求項２】
前記水平機能部は、前記エレメントに沿って前記スライダーを摺動させることにより噛合・離脱するエレメントの頭部と前記エレメントの頭部の噛合・離脱に応じて水平方向に開閉する水平ファスナーテープとを有し、前記垂直機能部は、前記水平機能部に直交して上下の垂直方向に延設し、上方の垂直方向に延設した部分を鉤形に屈曲したエレメントの上脚部と前記エレメントの頭部の噛合・離脱に協働して前記エレメントの上脚部の先端を近接・離散して形成する上方保持部と前記上方保持部に係合して上方垂直方向に開閉する上方垂直ファスナーテープと、下方の垂直方向に延設した部分を鉤形に屈曲したエレメントの下脚部と前記エレメントの頭部の噛合・離脱に協働して前記エレメントの下脚部の先端を近接・離散して形成する下方保持部と前記下方保持部に係合して下方垂直方向に開閉する下方垂直ファスナーテープとを有することを特徴とする請求項１記載のスライドファスナー。
【発明の詳細な説明】
【技術分野】
【０００１】
本発明は、新しい発想により特異形状のファスナーエレメントを創造して、１つの空間を直交する４空間に分割する新しい機能を備えたスライドファスナーに関する。
【背景技術】
【０００２】
現存するスライドファスナーの多くは、エレメント（務歯）をテープの端縁部に並べて取り付けたもので、左右対になった一組のエレメントの間をスライダーを動かすことで、左右のエレメント同士が順に噛み合わさってゆき、自在に開閉できる構造である。開いている状態からスライダーを噛み合っていない方向に引っ張って動かせば、動かした位置まで噛み合い、噛み合っている状態からスライダーを噛み合わさっている方向に引っ張って動かせば、動かした位置まで開くように動作する。主に衣服やバッグ等の開口部に取り付けられ、衣服の着脱やバッグでの出し入れを容易にする。
【発明の概要】
【発明が解決しようとする課題】
【０００３】
従来のスライドファスナーは、上述したように衣服の着脱、バッグの開閉に使用されるように１つの空間を２空間に分割する使い方しかできなかった。本発明は、新しい発想により特異形状のファスナーエレメントを創造することにより、１つの空間を直交する４空間に分割する使い方を可能とするスライドファスナーの新しい機能を提供することを目的とする。
【課題を解決するための手段】
【０００４】
上記目的を達成するため、請求項１のスライドファスナーは、水平ファスナーテープの相対する開閉端の縁部に沿って列設されたエレメントとスライダーとから構成され、スライダーをエレメントに沿って摺動させることにより開閉するスライドファスナーであって、１つのスライダーを用いて１回の操作により、１つの空間を２つの空間に分割する水平機能部と、水平機能部により分割された２つの空間をそれぞれさらに２つの空間に分割する垂直機能部とを備えたことを特徴とするものである。
【０００５】
また、請求項２のスライドファスナーは、請求項１記載のスライドファスナーであって、水平機能部は、エレメントに沿ってスライダーを摺動させることにより噛合・離脱するエレメントの頭部とエレメントの頭部の噛合・離脱に応じて水平方向に開閉する水平ファスナーテープとを有し、垂直機能部は、水平機能部に直交して上下の垂直方向に延設し、上方の垂直方向に延設した部分を鉤形に屈曲したエレメントの上脚部とエレメントの頭部の噛合・離脱に協働して上脚部の先端を近接・離散して形成する上方保持部と上方保持部に係合して上方垂直方向に開閉する上方垂直ファスナーテープとを有し、下方の垂直方向に延設した部分を鉤形に屈曲したエレメントの下脚部とエレメントの頭部の噛合・離脱に協働して下脚部の先端を近接・離散して形成する下方保持部と下方保持部に係合して下方垂直方向に開閉する下方垂直ファスナーテープとを有することを特徴とするものである。
【発明の効果】
【０００６】
請求項１記載のスライドファスナーによれば、１つのスライダーを用いて１回の操作により、１つの空間を２つの空間に分割する水平機能部と、水平機能部により分割された２つの空間をそれぞれさらに２つの空間に分割する垂直機能部とを備えたことにより、１つのスライダーを用いて１回の摺動操作で１つの空間を直交する４空間に分割する使い方を可能とするスライドファスナーの新しい機能を提供することができる。
【０００７】
請求項２記載のスライドファスナーによれば、水平機能部は、エレメントに沿ってスライダーを摺動させることにより噛合・離脱するエレメントの頭部とエレメントの頭部の噛合・離脱に応じて水平方向に開閉する水平ファスナーテープとを有し、垂直機能部は、水平機能部に直交して上下の垂直方向に延設し、上方の垂直方向に延設した部分を鉤形に屈曲したエレメントの上脚部とエレメントの頭部の噛合・離脱に協働して上脚部の先端を近接・離散して形成する上方保持部と上方保持部に係合して上方垂直方向に開閉する上方垂直ファスナーテープとを有し、下方の垂直方向に延設した部分を鉤形に屈曲したエレメントの下脚部とエレメントの頭部の噛合・離脱に協働して下脚部の先端を近接・離散して形成する下方保持部と下方保持部に係合して下方垂直方向に開閉する下方垂直ファスナーテープとを有することにより、１つのスライダーを用いて１回の操作で１つの空間を直交する４空間に分割する使い方を可能とするスライドファスナーの新しい機能を提供することができる。
【図面の簡単な説明】
【０００８】
【図１】本発明のスライドファスナーの実施形態を示す斜視図である。
【図２】図１に示すスライドファスナーの部分平面図である。
【図３】図２に示すＡ−Ａ線に沿った矢視断面図である。
【図４】図２に示すＢ−Ｂ線に沿った矢視断面図である。
【図５】図２に示すＣ−Ｃ線に沿った矢視断面図である。
【図６】図２に示すＤ−Ｄ線に沿った矢視断面図である。
【図７】本発明のスライドファスナーを構成するエレメントの実施例を示す斜視図である。
【図８】本発明のスライドファスナーを構成するスライダーの実施例を示す斜視図である。
【図９】図８に示すＥ−Ｅ線に沿った矢視断面図である。
【図１０】図８に示すＦ−Ｆ線に沿った矢視断面図である。
【図１１】図８に示すＧ−Ｇ線に沿った矢視断面図である。
【図１２】図８に示すＨ−Ｈ線に沿った矢視断面図である。
【図１３】図８に示すＩ−Ｉ線に沿った矢視断面図である。
【図１４】図８に示すＪ−Ｊ線に沿った矢視断面図である。
【図１５】本発明の水平機能部のエレメントの頭部の噛合によりエレメントの上脚部及びエレメントの下脚部が近接する動作の説明図である。
【図１６】本発明のエレメントの上脚部及びエレメントの下脚部の近接により形成する上方保持部及び下方保持部に上方垂直ファスナーテープ及び下方垂直ファスナーテープが係合する動作の説明図である。
【発明を実施するための形態】
【実施例】
【０００９】
以下、本発明によるスライドファスナーの実施の形態を、図１〜図６を参照しながら具体的に説明する。図１に示すように、スライドファスナー１０は、水平ファスナーテープ３３の相対する開閉端の縁部に沿って列設されたエレメント３０とスライダー４０とから構成される。１つのスライダー４０を左右対になったエレメント３０に沿って摺動させることにより１つのスライダーを用いて１回の操作で１つの空間を２つの空間に分割する水平機能部３１と、水平機能部３１により分割された２つの空間をそれぞれさらに２つの空間に分割する垂直機能部３５とを備えている。
【００１０】
水平機能部３１は、図２に示すように、エレメント３０に沿ってスライダー４０を矢印Ｘの方向に摺動させると、Ｄ−Ｄ線の位置（図６）ではエレメント３０の頭部３２は離脱していたが、Ｃ−Ｃ線の位置（図５）、Ｂ−Ｂ線の位置（図４）のように漸次近づき、最終的にはＡ−Ａ線の位置（図３）のように噛合い、水平ファスナーテープ３３を水平方向に閉じる。
【００１１】
垂直機能部３５は、水平機能部３１に直交して上下の垂直方向に延設し、上方の垂直方向に延設したエレメントの上脚部３６及び下方の垂直方向に延設したエレメントの下脚部３８を鉤形に屈曲し、エレメントの上脚部３６の先端３６ａ及びエレメントの下脚部３８の先端３８ａはＤ−Ｄ線の位置（図６）では離散していたが、エレメント３０の頭部３２の動作に協働して、エレメントの上脚部３６の先端３６ａ及びエレメントの下脚部３８の先端３８ａはＣ−Ｃ線の位置（図５）、Ｂ−Ｂ線の位置（図４）のように漸次近づき、最終的にはＡ−Ａ線の位置（図３）のように近接して上方保持部３６ｂ及び下方保持部３８ｂを形成し、上方保持部３６ｂ及び下方保持部３８ｂに上方垂直ファスナーテープ３７の上方垂直ファスナーテープ固定部３７ａ及び下方垂直ファスナーテープ３９の下方垂直ファスナーテープ固定部３９ａを係合して上下の垂直方向に閉じる。
【００１２】
次に、スライドファスナーを構成するエレメント３０、スライダー４０の詳細を図７〜図１４を参照しながら説明する。
【００１３】
エレメント３０は、図７に示すように、スライダーを摺動させることにより噛合・離脱するエレメントの頭部３２とエレメントの頭部３２の噛合・離脱に応じて水平方向に開閉する水平ファスナーテープ３３とエレメントの水平方向に対して上下の垂直方向に延設し、その上下に延設した部分を鉤形に屈曲したエレメントの上脚部３６及びエレメントの下脚部３８とエレメントの頭部３２の噛合・離脱に協働してエレメントの上脚部３６の先端３６ａ及びエレメントの下脚部３８の先端３８ａを近接・離散することにより形成する上方保持部３６ｂ及び下方保持部３８ｂとを備えた特異形状をしている。
【００１４】
スライダー４０は、図８に示すように、エレメント３０を挿通して噛合・離脱させるスライダー本体５０とスライダー本体５０を移動させる引き手６０とから構成されている。スライダー本体５０は、図８に示した各直線Ｅ〜Ｊで切断した断面図（図９〜図１４）に示すように、上方垂直側ケース５１、下方垂直側ケース５２から成り（図９）、両者を連結する連結部５３で連結されている（図１３）。上方垂直側ケース５１と下方垂直側ケース５２の間には水平ファスナーテープ３３を挿通する水平スリット５４が設けられ、また、上方垂直側ケース５１及び下方垂直側ケース５２の真中には上方垂直ファスナーテープ３７及び下方垂直ファスナーテープ３９を挿通する垂直スリット５５がそれぞれ穿設されている。
【００１５】
スライダー本体５０の内部は、ファスナーテープ２０の相対する開閉端の縁部に沿って列設された複数のエレメント３０が挿通するエレメント通路５６が形成され、直線Ｅ側のエレメント通路５６は噛合ったエレメント３０を挿通可能とし（図９）、直線Ｉ側のエレメント通路５６は連結部５３によって離脱したエレメント３０を左右に分離して挿通可能とする（図１３）。上方垂直側ケース５１には垂直スリット５５の両側に上方引き手取付部５７ａ，５７ｂが立設されている（図８、図１０〜図１２）。同様に下方垂直側ケース５２にも垂直スリット５５の両側に下方引き手取付部５８ａ、５８ｂが立設されている（図８、図１０〜図１２）。
【００１６】
引き手６０は、図８及び図１２〜図１４に示すように、スライダー本体５０への上方取付部６１ａ、６１ｂ及び下方取付部６２ａ、６２ｂと摘み部６４から成り、上方取付部６１ａ、６１ｂはスライダー本体５０の上方垂直側ケース５１の上方引き手取付部５７ａ，５７ｂに、下方取付部６２ａ、６２ｂはスライダー本体５０の下方垂直側ケース５２の下方引き手取付部５８ａ、５８ｂに、スライダー本体５０の上方及び下方側から挟み込むようにして取り付ける。この場合、スライダー４０を矢印Ｘ（図２）の方向に摺動させるには引き手６０を引き、矢印Ｘ（図２）の逆方向に摺動させるには引き手６０を押す。
【００１７】
このように特異形状をしたエレメント３０とスライダー４０とから構成されたスライドファスナー１０の作用について説明する。図１、図２に示すように、引き手６０を引いて水平ファスナーテープ３３の縁端部に列設された複数個のエレメント３０に沿ってスライダー４０を矢印Ｘの方向に摺動させると、Ｄ−Ｄ線の位置（図６）ではエレメント３０の頭部３２は離脱していたが、Ｃ−Ｃ線の位置（図５）、Ｂ−Ｂ線の位置（図４）のように漸次近づき、最終的にはＡ−Ａ線の位置（図３）のように噛合い、水平ファスナーテープ３３を水平方向に閉じる。
【００１８】
エレメント３０の頭部３２が噛合うと、図３〜図６及び図１５、図１６に示すように、水平機能部３１に直交して上方の垂直方向に延設したエレメントの上脚部３６の先端３６ａが噛合わせ頭部３２の噛合わせに協働して近接する（図１５）。エレメントの上脚部３６は鉤形に屈曲されているので、エレメントの上脚部３６の先端３６ａの近接により上方保持部３６ｂを形成する（図１５）。上方保持部３６ｂが形成されると、上垂直ファスナーテープ３７を固定した上垂直ファスナーテープ固定部３７ａが上方保持部３６ｂに係合される（図１６）。
【００１９】
同様に、水平機能部３１に直交して下方の垂直方向に延設したエレメントの下脚部３８の先端３８ａが噛合わせ頭部３２の噛合わせに協働して近接すると下方保持部３８ｂが形成され（図１５）、下垂直ファスナーテープ３９を固定した下垂直ファスナーテープ固定部３９ａが下方保持部３８ｂに係合される（図１６）。
【００２０】
また、引き手６０を押してスライダー４０を矢印Ｘ（図２）の逆方向に摺動させると、Ａ−Ａ線の位置（図３）で噛み合っていたエレメント３０の頭部３２がＢ−Ｂ線の位置（図４）、Ｃ−Ｃ線の位置（図５）、Ｄ−Ｄ線の位置（図６）のように離脱し、それに協働してエレメントの上脚部３６の先端３６ａ及びエレメントの下脚部３８の先端３８ａが離散するので上方保持部３６ｂ及び下方保持部３８ｂの形成がなくなり上垂直ファスナーテープ３７を固定した上垂直ファスナーテープ固定部３７ａ及び下垂直ファスナーテープ３９を固定した下垂直ファスナーテープ固定部３９ａが上方保持部３６ｂ及び下方保持部３８ｂに係合されなくなる。
【００２１】
以上説明したように、本発明のスライドファスナーによれば、新しい発想により特異形状のファスナーエレメントを創造することにより、１つのスライダーを用いて１回の操作により、１つの空間を２つの空間に分割する水平機能部と、水平機能部により分割された２つの空間をそれぞれさらに２つの空間に分割する垂直機能部とを備えたことにより、１つのスライダーを用いて１回の摺動操作で１つの空間を直交する４空間に分割する使い方を可能とするスライドファスナーの新しい機能を提供することができる。
【００２２】
従って、水平機能部、垂直機能部を天地方向として仮設テントの間仕切に応用すれば、仮設テントの内部に形成された１つの居住空間を１つのスライダーを用いて１回の操作で４つの独立した空間に分割することができる。
【符号の説明】
【００２３】
１０  スライドファスナー
３０  エレメント
３１  水平機能部
３２  エレメントの頭部
３３  水平ファスナーテープ
３４  水平ファスナーテープ固定部
３５  垂直機能部
３６  エレメントの上脚部
３６ａ  上脚部３６の先端
３６ｂ  上方保持部
３７  上方垂直ファスナーテープ
３７ａ  上方垂直ファスナーテープ固定部
３８  エレメントの下脚部
３８ａ  下脚部３８の先端
３８ｂ  下方保持部
３９  下方垂直ファスナーテープ
３９ａ  下方垂直ファスナーテープ固定部
４０  スライダー
５０  スライダー本体
５１  上方垂直側ケース
５２  下方垂直側ケース
５３  連結部
５４  水平スリット
５５  垂直スリット
５６  エレメント通路
５７ａ  上方垂直側ケースの上方引き手取付部
５７ｂ  上方垂直側ケースの上方引き手取付部
５８ａ  下方垂直側ケースの下方引き手取付部
５８ｂ  下方垂直側ケースの下方引き手取付部
６０  引き手
６１ａ  上方取付部
６１ｂ  上方取付部
６２ａ  下方取付部
６２ｂ  下方取付部
６４  摘み部
【図１】
2011015814.tif 000003
【図２】
2011015814.tif 000004
【図３】
2011015814.tif 000005
【図４】
2011015814.tif 000006
【図５】
2011015814.tif 000007
【図６】
2011015814.tif 000008
【図７】
2011015814.tif 000009
【図８】
2011015814.tif 000010
【図９】
2011015814.tif 000011
【図１０】
2011015814.tif 000012
【図１１】
2011015814.tif 000013
【図１２】
2011015814.tif 000014
【図１３】
2011015814.tif 000015
【図１４】
2011015814.tif 000016
【図１５】
2011015814.tif 000017
【図１６】
2011015814.tif 000018
【手続補正書】
【提出日】平成22年2月4日(2010.2.4)
【手続補正１】
【補正対象書類名】特許請求の範囲
【補正対象項目名】全文
【補正方法】変更
【補正の内容】
【特許請求の範囲】
【請求項１】
水平ファスナーテープの相対する開閉端の縁部に沿って列設されたエレメントとスライダーとから構成され、前記スライダーを前記エレメントに沿って摺動させることにより１回の操作で１つの空間を２つの空間に分割する水平機能部及び前記水平機能部により分割された２つの空間をそれぞれさらに２つの空間に分割する垂直機能部を備えたスライドファスナーにおいて、前記水平機能部は、前記エレメントに沿って前記スライダーを摺動させることにより噛合・離脱するエレメントの頭部と前記エレメントの頭部の噛合・離脱に応じて水平方向に開閉する水平ファスナーテープとを有し、前記垂直機能部は、前記水平機能部に直交して上下の垂直方向に延設し、上方の垂直方向に延設した部分を鉤形に屈曲したエレメントの上脚部と前記エレメントの頭部の噛合・離脱に協働して前記エレメントの上脚部の先端を近接・離散して形成する上方保持部と前記上方保持部に係合して上方垂直方向に開閉する上方垂直ファスナーテープと、下方の垂直方向に延設した部分を鉤形に屈曲したエレメントの下脚部と前記エレメントの頭部の噛合・離脱に協働して前記エレメントの下脚部の先端を近接・離散して形成する下方保持部と前記下方保持部に係合して下方垂直方向に開閉する下方垂直ファスナーテープとを有することを特徴とするスライドファスナー。
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】変更
【補正の内容】
【０００５】
上記目的を達成するため、請求項１のスライドファスナーは、水平ファスナーテープの相対する開閉端の縁部に沿って列設されたエレメントとスライダーとから構成され、スライダーをエレメントに沿って摺動させることにより１回の操作で１つの空間を２つの空間に分割する水平機能部及び水平機能部により分割された２つの空間をそれぞれさらに２つの空間に分割する垂直機能部を備えたスライドファスナーにおいて、水平機能部は、エレメントに沿ってスライダーを摺動させることにより噛合・離脱するエレメントの頭部とエレメントの頭部の噛合・離脱に応じて水平方向に開閉する水平ファスナーテープとを有し、垂直機能部は、水平機能部に直交して上下の垂直方向に延設し、上方の垂直方向に延設した部分を鉤形に屈曲したエレメントの上脚部とエレメントの頭部の噛合・離脱に協働してエレメントの上脚部の先端を近接・離散して形成する上方保持部と上方保持部に係合して上方垂直方向に開閉する上方垂直ファスナーテープと、下方の垂直方向に延設した部分を鉤形に屈曲したエレメントの下脚部とエレメントの頭部の噛合・離脱に協働してエレメントの下脚部の先端を近接・離散して形成する下方保持部と下方保持部に係合して下方垂直方向に開閉する下方垂直ファスナーテープとを有することを特徴とするものである。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
請求項１のスライドファスナーによれば、水平ファスナーテープの相対する開閉端の縁部に沿って列設されたエレメントとスライダーとから構成され、スライダーをエレメントに沿って摺動させることにより１回の操作で１つの空間を２つの空間に分割する水平機能部及び水平機能部により分割された２つの空間をそれぞれさらに２つの空間に分割する垂直機能部を備えたスライドファスナーにおいて、水平機能部は、エレメントに沿ってスライダーを摺動させることにより噛合・離脱するエレメントの頭部とエレメントの頭部の噛合・離脱に応じて水平方向に開閉する水平ファスナーテープとを有し、垂直機能部は、水平機能部に直交して上下の垂直方向に延設し、上方の垂直方向に延設した部分を鉤形に屈曲したエレメントの上脚部とエレメントの頭部の噛合・離脱に協働してエレメントの上脚部の先端を近接・離散して形成する上方保持部と上方保持部に係合して上方垂直方向に開閉する上方垂直ファスナーテープと、下方の垂直方向に延設した部分を鉤形に屈曲したエレメントの下脚部とエレメントの頭部の噛合・離脱に協働してエレメントの下脚部の先端を近接・離散して形成する下方保持部と下方保持部に係合して下方垂直方向に開閉する下方垂直ファスナーテープとを有することにより、１つのスライダーを用いて１回の操作で１つの空間を直交する４空間に分割する使い方を可能とするスライドファスナーの新しい機能を提供することができる。